(57)【要約】      （修正有）【課題】「テストプラグの誤挿入」というヒューマンエラーを、作業者が試験作業する際に必然的に使用する機材を利用して注意喚起し、テストプラグの誤挿入を確実に防止する。【解決手段】試験対象機器に電気的に接続される接触片３００が内設される挿入口３０ａを有するテストターミナル３と、テストターミナルの挿入口に挿入されて、接触片に接触して試験対象機器に試験信号を印加するテストプラグと、挿入口に並列して設けられ、試験対象機器に関する情報が表示される表示板３２と、反転できるように、挿入口と表示板との間に、回転自在に端縁部が支持され、通常時、正転位置で、挿入口が閉塞される一方、表示板が露出され、試験時、反転位置で、挿入口が開放される一方、表示板が覆われるカバー３１とを備えた電気盤１において、反転位置のカバーの裏面に、表示板の表示内容と同じ表示内容を表示する。【選択図】図２
2014079113.tif 000002
【特許請求の範囲】
【請求項１】
試験対象機器に電気的に接続される接触片が内設される挿入口を有するテストターミナルと、
該テストターミナルの挿入口に挿入されて、接触片に接触して試験対象機器に試験信号を印加するテストプラグと、
挿入口に並列して設けられ、試験対象機器に関する情報が表示される表示板と、
反転できるように、挿入口と表示板との間に、回転自在に端縁部が支持され、通常時、正転位置で、挿入口が閉塞される一方、表示板が露出され、試験時、反転位置で、挿入口が開放される一方、表示板が覆われるカバーとを備えた電気盤において、
反転位置の前記カバーの裏面に、前記表示板の表示内容と同じ表示内容が表示されることを特徴とする電気盤。
【請求項２】
試験対象機器に電気的に接続される接触片が内設される挿入口を有するテストターミナルと、
該テストターミナルの挿入口に挿入されて、接触片に接触して試験対象機器に試験信号を印加するテストプラグと、
挿入口に並列して設けられ、試験対象機器に関する情報が表示される表示板と、
反転できるように、挿入口と表示板との間に、回転自在に端縁部が支持され、通常時、正転位置で、挿入口が閉塞される一方、表示板が露出され、試験時、反転位置で、挿入口が開放される一方、表示板が覆われるカバーとを備えた電気盤において、
前記表示板の近傍に、反転位置のカバーに向かって突出するように突起が配置され、
前記カバーに、反転位置のカバーを突起が貫通するように、突起に対応した位置に貫通孔が形成されることを特徴とする電気盤。
【請求項３】
カバーによる挿入口の開閉状態を検知する第１のスイッチと、
試験対象機器の通電状態を検知する第２のスイッチと、
第１のスイッチおよび第２のスイッチがオンした場合に、テストプラグを挿入しようとするテストターミナルが、試験対象機器のテストターミナルでないことの警告を発生する警告発生手段とを備えたことを特徴とする請求項１または２に記載の電気盤。
【発明の詳細な説明】
【技術分野】
【０００１】
本発明は、例えば、変電所等の電気所に設置される自動復旧装置等の電気盤であって、遮断器が正常に動作するかを試験する場合に使用されるテストターミナルが組み込まれた電気盤に関する。
【背景技術】
【０００２】
従来より、電力系統の異常を検出した場合に、所定時間の経過後に遮断器を遮断したり、停電事故の後に電力系統の自動復旧を行ったりする機能（以下、「ＡＲＥ機能」という）を有する自動復旧装置が知られている。該自動復旧装置には、保護継電器等を試験するためのテストターミナルが、回線に対応して多数設けられている。
【０００３】
具体的には、異常電流を検出する変流器（ＣＴ）と、異常電圧を検出する計器用変圧器（ＰＴ）とが、保護継電器や計器等に電気的に接続される。保護継電器等は、線路や機器の故障等を検出すると、遮断器にトリップ信号を送り遮断器を動作させ、故障区間を系統から切り離しその影響を最小限に抑える。そして、この保護継電器等の試験や交換が線路を活線状態にしたままで行えるように、変流器等と保護継電器等の間にはテストターミナル（テスト端子）が配設されている。テストターミナルは、テストプラグの挿入により、保護継電器等を変流器等のある電源側から電気的に切り離すという役割を担う。
【０００４】
そして、作業者が、試験のためのテストプラグをテストターミナルの挿入口に挿入する場合、回線名が表示された表示板（銘板）を見て、復旧機能不使用回線であることを確認している。しかしながら、作業者は、復旧機能使用回線であるにも関わらず、復旧機能不使用回線であると誤認して、テストプラグを挿入してしまうことがある。この場合は、復旧機能使用状態で、テストプラグを挿入することにより電圧喪失を招き、遮断指令により健全回線を誤遮断させてしまう。
【０００５】
自動復旧装置の上部には、復旧機能使用状態あるいは復旧機能不使用状態が表示される。しかしながら、テストターミナルは、自動復旧装置の下部に多数配置されているため、いずれのテストターミナルが、試験対象機器のテストターミナルなのか、対応関係の確認が難しい。
【０００６】
このような課題を解決すべく、例えば、特許文献１では、テストターミナルの挿入口にカバーを取り付けている。このカバーは、表示板と、外枠と、係止用の脚部とを備えている。表示板は、「挿入禁止」と表面に表示される一方、裏面は、非表示となっている。外枠は、表示板を高さ方向（取付状態で鉛直方向）の周りに回動自在に支持している。そして、テストプラグ挿入の可否に応じて、表示板の表面または裏面を正面側（外部側）に向けてカバーが取り付けられている。
【先行技術文献】
【特許文献】
【０００７】
【特許文献１】特開２００７―１７１７５０号公報
【発明の概要】
【発明が解決しようとする課題】
【０００８】
しかしながら、前記公報では、「挿入禁止」の表示板をテストターミナルに表示するか否かの判断は、作業者が行っている。また、いずれのテストターミナルのカバーも容易に開くことができるので、試験対象機器でないテストターミナルの挿入口が開放されることが考えられる。すなわち、試験対象機器でないテストターミナルの挿入口に、テストプラグを誤って挿入して、試験対象でない機器を遮断して、通電状態の回線を停電させてしまうことが考えられる。
【０００９】
そこで、本発明は、前記課題を鑑み、「テストプラグの誤挿入」というヒューマンエラーを、作業者自身が人為的に注意喚起するのではなく、作業者が試験作業する際に必然的に使用する機材を利用して注意喚起し、テストプラグの誤挿入を確実に防止できる電気盤を提供することを目的としている。
【課題を解決するための手段】
【００１０】
前記課題を解決するために、本発明に係る電気盤は、試験対象機器に電気的に接続される接触片が内設される挿入口を有するテストターミナルと、該テストターミナルの挿入口に挿入されて、接触片に接触して試験対象機器に試験信号を印加するテストプラグと、挿入口に並列して設けられ、試験対象機器に関する情報が表示される表示板と、反転できるように、挿入口と表示板との間に、回転自在に端縁部が支持され、通常時、正転位置で、挿入口が閉塞される一方、表示板が露出され、試験時、反転位置で、挿入口が開放される一方、表示板が覆われるカバーとを備えた電気盤において、反転位置の前記カバーの裏面に、前記表示板の表示内容と同じ表示内容が表示されることを特徴とする。
【００１１】
かかる構成によれば、作業者によって、カバーが反転されて、テストターミナルの挿入口が開放された際、作業者は、テストプラグをテストターミナルの挿入口に挿入する前に、該テストターミナルが、試験対象となる機器のテストターミナルであるか否かを注意喚起できるようになる。
【００１２】
また、別の発明に係る電気盤は、試験対象機器に電気的に接続される接触片が内設される挿入口を有するテストターミナルと、該テストターミナルの挿入口に挿入されて、接触片に接触して試験対象機器に試験信号を印加するテストプラグと、挿入口に並列して設けられ、試験対象機器に関する情報が表示される表示板と、反転できるように、挿入口と表示板との間に、回転自在に端縁部が支持され、通常時、正転位置で、挿入口が閉塞される一方、表示板が露出され、試験時、反転位置で、挿入口が開放される一方、表示板が覆われるカバーとを備えた電気盤において、前記表示板の近傍に、反転位置のカバーに向かって突出するように突起が配置され、前記カバーに、カバーを反転させた際に突起が貫通するように、突起に対応した位置に貫通孔が形成されることを特徴とする。
【００１３】
かかる構成によれば、表示板を閉塞した状態のカバーの貫通孔から突起が突出することで、作業者は、テストプラグをテストターミナルの挿入口に挿入する前に、該テストターミナルが、試験対象となる機器のテストターミナルであるか否かを注意喚起できるようになる。すなわち、反転させたカバーから突出する突起が、試験をする作業者に対して、視覚に訴える警告となる。
【００１４】
また、本発明によれば、カバーによる挿入口の開閉状態を検知する第１のスイッチと、試験対象機器の通電状態を検知する第２のスイッチと、第１のスイッチおよび第２のスイッチがオンした場合に、テストプラグを挿入しようとするテストターミナルが、試験対象機器のテストターミナルでないことの警告を発生する警告発生手段とを備えるような構成を採用することもできる。
【００１５】
かかる構成によれば、カバーによる挿入口の開閉状態を検知する第１のスイッチと、試験対象機器の通電状態を検知する第２のスイッチとのアンド条件によって、テストプラグの誤挿入を防止することができる。
【発明の効果】
【００１６】
以上説明したように、本発明によれば、「テストプラグの誤挿入」というヒューマンエラーを、作業者自身が人為的に注意喚起するのではなく、作業者が試験作業する際に必然的に使用する機材を利用して注意喚起するようにしたので、テストプラグの誤挿入を確実に防止することができる。
【図面の簡単な説明】
【００１７】
【図１】本発明の実施形態に係る電気盤の一部を示す概略正面図である。
【図２】第一実施形態に係るテストターミナル部を示す図であり、（ａ）は、カバーによって、ターミナル本体の挿入口が閉塞された状態を示す正面図、（ｂ）は、ターミナル本体の側断面図。
【図３】カバーが閉じられた状態で、リレーが不使用の場合の警告発生回路を示す図。
【図４】同実施形態に係るテストターミナル部を示す図であり、（ａ）は、カバーが開かれて、ターミナル本体の挿入口が開放された状態を示す正面図、（ｂ）は、ターミナル本体の側断面図。
【図５】カバーが開かれた状態で、リレーが使用中の場合の警告発生回路を示す図。
【図６】同実施形態に係るテストターミナル部を示す図であり、（ａ）は、カバーが開かれて、ターミナル本体の挿入口が開放された状態を示す正面図、（ｂ）は、テストプラグが挿入されたターミナル本体の側断面図。
【図７】カバーが開かれた状態で、リレーが不使用の場合の警告発生回路を示す図。
【図８】第二実施形態に係るテストターミナル部を示す図であり、（ａ）は、カバーによって、ターミナル本体の挿入口が閉塞された状態を示す正面図、（ｂ）は、ターミナル本体の側断面図。
【図９】同実施形態に係るテストターミナル部を示す図であり、（ａ）は、カバーが開かれて、ターミナル本体の挿入口が開放され、該カバーから突起が突出した状態を示す正面図、（ｂ）は、ターミナル本体の側断面図。
【発明を実施するための形態】
【００１８】
以下、本発明の実施形態に係る電気盤について図１〜図９を参照して説明する。なお、本実施形態では、電気盤として、自動復旧装置を例にとって説明する。
【００１９】
（第一実施形態）
まず、第一実施形態に係る電気盤（自動復旧装置）について図１〜図７を参照しつつ説明する。該自動復旧装置は、変電所に設置される。この変電所は、図示していないが、母線に設置される母線計器用変圧器と、母線に接続される複数の送電線にそれぞれ設置される送電線計器用変圧器と、各送電線にそれぞれ設置される遮断器とを備えている。
【００２０】
母線計器用変圧器は、母線の電圧（母線電圧）を所定の低電圧に変換する機器である。送電線計器用変圧器は、各送電線の電圧（線路電圧）を所定の低電圧に変換する機器である。遮断器は、各送電線にそれぞれ設置され、電流の通電と遮断とを行う機器である。
【００２１】
また、自動復旧装置は、ＡＲＥ機能、すなわち、電力系統の全体の停電事故（以下、全停事故という）を検出した場合に、所定時間の経過後に遮断器を遮断すると共に、停電事故の後に、遮断した遮断器を自動的に復旧させる機能を有している。
【００２２】
ＡＲＥ機能は、図示していないトリップ回路、入力変換器、処理部、ＡＲＥ機能をオン・オフするスイッチ手段とを備えている。
【００２３】
トリップ回路は、遮断器を遮断するトリップ信号を出力する。入力変換器は、母線計器用変圧器からの母線電圧と、各送電線に設置されている送電線計器用変圧器からの線路電圧とを低電圧に変換する。処理部は、入力変換器から送出された母線電圧、線路電圧に基づいて、全停電事故を検出する。また、処理部は、遮断器を遮断するトリップ信号を出力する。
【００２４】
また、自動復帰装置１は、図１および図３に示すように、保護継電器（以下、リレーという）などの機器２と、テストターミナル３と、警告発生手段としての警告発生回路４とを備えている。
【００２５】
テストターミナル３は、図２（ａ），（ｂ）および図４（ｂ）に示すように、ターミナル本体３０と、カバー３１と、表示板（銘板）３２と、テストプラグ３３とを有している。
【００２６】
ターミナル本体３０は、絶縁体からなる。そして、ターミナル本体３０は、図２（ａ），（ｂ）に示すように、ターミナル本体３０の略中央に正面から後部にかけて、テストプラグ３３が挿入される挿入口３０ａが設けられている。
【００２７】
挿入口３０ａは、図２（ａ）に示すように、正面視横長の矩形状に形成されている。そして、挿入口３０ａに、自動復帰装置１内の機器の試験を行うためのテストプラグ３３が挿入される。また、挿入口３０ａの内部には、図２（ｂ）に示すように、一対の接触片３００，３００が上下に配置されている。該一対の接触片３００，３００は、母線計器用変圧器と、自動復旧装置１の入力変換器に接続される（図示せず）。一対の接触片３００，３００は、導電性及び弾性を有する金属片であり、ほぼ円弧状に湾曲している。一対の接触片３００，３００は、挿入口３０ａにおいて、前記円弧の凸部側が互いに向かい合い、かつ、前記円弧の頂部が当接するように配置される。つまり、一対の接触片３００，３００は、挿入口３０ａにテストプラグ３３が挿入されていないときには、互いに当接し、電気的に接続されるようになっている。
【００２８】
カバー３１は、図２（ａ），（ｂ）に示すように、背面が開口された略直方体状を呈している。また、カバー３１は、挿入口ａ３０および表示板３２を覆うことができる面積を有している。また、カバー３１は、反転できるように、挿入口３０ａと表示板３２との間に回転軸３１０が回転自在に支持されている。そして、カバー３１は、回転軸３１０に上端縁部が固着されるとともに、巻きバネ（図示せず）によって閉塞する方向に常時弾性付勢されている。また、図４（ａ）の破線に示すように、カバー３１の裏面３１ａには、表示板３２の表示内容と同じ表示内容が重なるように表示され、作業者に読み取れるようになっている。
【００２９】
また、カバー３１の下方には、カバー３１の開閉に応じて出退してオン・オフする（開閉状態を検知する）開閉検知スイッチ３４が配置されている（図２（ａ），（ｂ）参照）。該開閉スイッチ３４は、取付孔３４ａに進退自在に挿入され、バネ３４ｂによって、進出方向に常時弾性付勢されている。先端部が丸く、基端部に可動接点３４０が固着されている。また、可動接点３４０に接触する固定接点３４１が取付孔３４ａの内部に配置されている。そして、可動接点３４０は、カバー３１が開いているときに固定接点３４１と当接し、固定接点３４１と電気的に接続される。すなわち、警告発生回路４が作動するスタンバイ状態になっている。また、可動接点３４０は、カバー３１が閉じているときに固定接点３４１と離間する。すなわち、警告発生回路４が作動しない状態になっている。
【００３０】
テストプラグ３３は、自動復旧装置１を試験する際に、ターミナル本体３０の挿入口３０ａに挿入されて使用される、いわゆる開放プラグである。また、テストプラグ３３は、絶縁板の両面に細長状の電極３３０，３３１を有する挿入部３３ａと、一対の端子３３２，３３２を有する端子部３３ｂとを備えている。
【００３１】
そして、図６（ｂ）に示すように、テストプラグ３３が、テストターミナル３の挿入口３０ａに挿入されたときに、挿入口３０ａにおいて当接している一対の接触片３００，３００が離間すると共に、電極３３０，３３１が接触片３００，３００に当接する。すなわち、端子部３３ｂの端子３３２，３３２は、電極３３０，３３１とそれぞれ電気的に接続される。
【００３２】
また、テストプラグ３３が、テストターミナル３の挿入口３０ａに挿入された場合、開閉検知スイッチ３４がテストプラグ３３の端子部３３ｂに押圧されて、開閉検知スイッチ３４の可動接点３４０が固定接点３４１から離間する。すなわち、開閉検知スイッチ３４は、オフされる。
【００３３】
端子部３３２，３３２は、１組で用いられ、例えば、母線計器用変圧器に対応する。この１組の端子３３２，３３２のみが示されているが、テストプラグ３０は、線路数に応じて他の組の端子（図示せず）を備えている。この他の組の端子は、例えば、送電線計器用変圧器に対応する。
【００３４】
表示板３２は、図２（ａ）に示すように、挿入口３０ａよりも幅広の正面視矩形状で、挿入口３０ａの上方に並列して設けられている。また、表示板３２は、自動復帰装置１に配置される試験対象となる機器に関する情報（例えば、回線名など）が表示されている。
【００３５】
警告発生回路４は、上述したように、開閉検知スイッチ３４と電気的に接続されている。そして、図３，図５，図７に示すように、リレー２の使用状態を検知する第２のスイッチとしての機器使用状態検知スイッチ４０と、カバー３１の開閉を検知する開閉検知スイッチ３４と、警告発生コイル４１と、ブザー（図示せず）とで構成される。そして、開閉検知スイッチ３４がオンで、機器使用状態検知スイッチ４０がオンの場合、警告発生コイル４１を励磁し、ブザーによる開放を発生する。
【００３６】
つぎに、通常時と試験時とにおける使用態様について順次説明する。まず、テストターミナル３にテストプラグ３３を挿入していない通常時の使用態様について説明する。通常時においては、テストターミナル３にテストプラグ３３が挿入されていないため、カバー３１は閉じており、開閉検知スイッチ３４がオフとなっている。したがって、ブザーによる警告音は発生しない。
【００３７】
つぎに、試験時の使用態様について説明する。作業者が手操作でカバー３１を開いて、テストターミナル３の挿入口３０ａを開放する。この際、表示板３２の前方が、開いたカバー（反転したカバー３１）３１によって覆われることによって、カバー３１の裏面３１ａの表示内容を、作業者が視認することができる。すなわち、テストプラグ３３を挿入しようとする挿入口３０ａが、試験対象となっているか否かを、カバー３１の裏面３１ａの表示内容を読み取ることで確認できる。すなわち、作業者が、作業する際に使用するカバー３１によって必然的に注意喚起することができる。確認後、テストターミナル３の挿入口３０ａにテストプラグ３３を挿入する。
【００３８】
また、リレー２の使用状態を検知する機器使用状態検知スイッチ４０がオンした状態（リレー２がオン状態）で、カバー３１を開いて、開閉検知スイッチ３４がオンした場合は、テストプラグ３３を挿入しようとするテストターミナル３の機器が試験対象でないことが、カバー３１を開いた作業者に対して警告される。
【００３９】
一方、カバー３１を開いたことにより、開閉検知スイッチ３４がオンする。この際、警告発生回路４のリレー２の使用状態を検知する機器使用状態検知スイッチ４０がオフ状態（リレー２がオフ状態）であれば、ブザーによる警告音は発生されない。すなわち、試験対象機器に対して所定の試験ができるようになる。
【００４０】
具体的には、テストプラグ３３が挿入口３０ａに挿入されると、テストプラグ３３の端子３３２，３３２がテストターミナル３の接触片３００に電気的に接続され、テストプラグ３３の端子３３２，３３２がテストターミナル３の接触片３００，３００に電気的に接続される。そして、例えば、テストプラグ３０の端子３３２，３３２を利用して、母線計器用変圧器の代わりに所定の試験信号を加えることにより、自動復旧装置１の試験を行うことができる。すなわち、所定時間の経過後に遮断器を遮断したり、停電事故の後に電力系統の自動復旧を行ったりする。なお、テストプラグ３３の挿入によって、開閉検知スイッチ３４はオフになっている。
【００４１】
このように、第１実施形態の電気盤によれば、作業者によって、カバー３１が反転されて、テストターミナル３の挿入口３０ａが開放された際、作業者は、テストプラグ３３をテストターミナル３の挿入口３０ａに挿入する前に、該テストターミナル３が、試験対象となる機器のテストターミナル３であるか否かを注意喚起できるようになる。これに加えて、カバー３１の開閉状態を検知する開閉検知スイッチ（第１のスイッチ）３４と、自動復帰装置（電気盤）１内のリレー２の使用状態を検知する検知する機器使用状態検知スイッチ（第２のスイッチ）４０とのアンド条件によって、テストプラグ３３の誤挿入を防止することができる。
【００４２】
（第二実施形態）
つぎに第二実施形態に係る電気盤について図８および図９を参照しつつ説明する。なお、これらの図において、図２（ａ），（ｂ）および図４（ａ），（ｂ）と同一符号は同一、もしくは相当するものを示す。
【００４３】
そして、図２（ａ），（ｂ）および図４（ａ），（ｂ）と異なる点は、表示板３２の近傍に、表示板３２の前方を閉塞した状態のカバー３１に向かって突出する一対の突起５，５が水平方向に配置されている点と、カバー３１に、突起５，５が反転位置のカバー３１から突出するように、突起５，５に対応した位置に一対の貫通孔６，６が形成されている点である（図８（ａ），（ｂ）および図９参照（ａ），（ｂ））。
【００４４】
つぎに使用態様について図８（ａ），（ｂ）および図９（ａ），（ｂ）を参照して説明する。なお、警告発生回路４の動作については、前記第一実施形態と同じであることから説明は省略する。通常時、図８（ａ），（ｂ）に示すように、テストターミナル３のカバー３１によって、テストターミナル３の挿入口３０ａが閉塞された状態になっている。
【００４５】
つぎに、試験時、図９（ａ），（ｂ）に示すように、テストターミナル３のカバー３１を上側、すなわち表示板３２側に向けて開くと、テストターミナル３の挿入口３０ａが開放される一方、表示板３２が反転したカバー３１によって覆われる。この際、カバー３１の貫通孔６，６から突起５，５が突出することで、作業者は、テストプラグ３３の挿入前に、テストプラグ３３を挿入しようとするテストターミナル３が、試験対象となる機器であるか否かを注意喚起できるようになる。すなわち、反転させたカバー３１から突出する突起５，５が、試験をする作業者に対して、視覚に訴える警告となる。
【００４６】
なお、本発明に係る電気盤は、前記実施形態に限定することなく種々変更することができる。
【００４７】
例えば、前記実施形態の場合、ブザーによる警報としたが、回線名などを音声メッセージで報知する音声合成機器や、発光ダイオード等の点滅させる点滅器、発光ダイオードによる文字表示盤による警報であってもよい。
【００４８】
また、前記実施形態の場合、電気盤として自動復帰装置を例にとって説明したが、他の電気盤にも適用できる。
【符号の説明】
【００４９】
１…自動復帰装置（電気盤）、２…リレー（試験対象機器）、３…テストターミナル、４…警告発生回路（警告発生手段）、５…突起、６…貫通孔、３０…ターミナル本体、３３…テストプラグ、３０ａ…挿入口、３１…カバー、３１ａ…裏面、３２…表示板、３４…開閉検知スイッチ（第１のスイッチ）、４０…機器使用状態検知スイッチ（第２のスイッチ）、４１…警告発生コイル、３００…接触片、３１０…回転軸、３３０，３３１…電極、３３２，３３２…端子、３４０…可動接点、３４１…固定接点、
【図１】
2014079113.tif 000003
【図２】
2014079113.tif 000004
【図３】
2014079113.tif 000005
【図４】
2014079113.tif 000006
【図５】
2014079113.tif 000007
【図６】
2014079113.tif 000008
【図７】
2014079113.tif 000009
【図８】
2014079113.tif 000010
【図９】
2014079113.tif 000011